(57)【要約】【課題】車両における天幕の取り付け装置の占有する分を極小化する。【解決手段】上部にてボディ側に軸支され、下部が外部上方へ展開するあおり板１２と、あおり板の下部からあおり板の外方延長方向へ展張可能に設けられた天幕１６とを備えた車両における天幕の取り付け装置について、天幕１６の巻き軸を軸支する軸受け部を中央部に有し、軸受け部よりもあおり板の外方延長方向へ天幕を展張するための折り畳みアーム１８を有し、さらに軸受け部よりもあおり板の内方にてあおり板に装着するためのブラケット１７を具備しており、ブラケット１７は、巻き軸に巻き取られた天幕の直径とほぼ同程度の幅を有するブラケット本体２１と、ブラケット本体の表側に位置して内方へ突出しあおり板への取り付け部となる基盤部２２と、ブラケット本体の裏側に位置して内方へ突出する支持部２３とを有する。【選択図】          図５
0003138405.tif 000002
【実用新案登録請求の範囲】
【請求項１】
上部で車両のボディ側に取り付けられ、下部が外部上方へ展開するあおり板と、あおり板の下部から外方への延長方向へ展張される天幕とを備えた車両における天幕の取り付け装置であって、
天幕の巻き軸を両端部で軸支する軸受け部を中央部に有し、軸受け部よりもあおり板の外方延長方向へ天幕を展張するための折り畳みアームを外方に有し、さらにあおり板に装着するためのブラケットを軸受け部よりもあおり板の内方に有しており、
ブラケットは、巻き軸に巻き取られた天幕の直径とほぼ同程度の幅を有するブラケット本体と、ブラケット本体の表側に位置して内方へ突出しあおり板への取り付け部となる基盤部と、ブラケット本体の裏側に位置して内方へ突出しあおり板を支える支持部とを有する車両における天幕の取り付け装置。
【請求項２】
基盤部と支持部が夫々の内方の端部にて結合しており、基盤部と支持部の外方の端部が結合している箇所から内方へ向かう鋭角のクサビ形を形成している構造を取る請求項１記載の車両における天幕の取り付け装置。
【考案の詳細な説明】
【技術分野】
【０００１】
本考案は、上部で車両のボディ側に取り付けられ、下部が外部上方へ展開するあおり板と、あおり板の下部から外方への延長方向へ展張される天幕とを備えた車両における天幕の取り付け装置に関するものである。
【背景技術】
【０００２】
例えば住宅の建築や改装に関する相談のための設備や機器を装備した、住宅相談車などと呼ばれる展示用の車両があり、この種の車両では、荷台を改装して側面にあおり板を設けるとともに、あおり板を上方へ展開する構造とし、さらにあおり板にその外方延長方向へ展張可能な天幕を備えたものがある。このような構造を有する車両では、走行時に天幕を巻き取り、かつあおり板を畳んで箱型ボディに戻さねばならないが、天幕の取り付け装置の占有する分はデッドスペースになるので可能な限り小さい厚さであることが歓迎される。従来の標準的な例では、厚みつまりボディ内外方向の寸法が約２００ｍｍであった。この例におけるボディ全幅は約２１００ｍｍであったから全幅の１割近くに相当し無駄が大きい。なお、巻き取られた天幕の直径は約１００ｍｍ余である。
【０００３】
先行技術には上記の無駄を軽減する例が見られない。例えば実開平７−２４６４６号は展示・販売車を開示しているが、天幕ないしテントの展張可能なものではないし、特開平１１−３４７２８号は、車両後部周縁部に垂下するバックドアテントを開示しているが、巻取り式の天幕を有するものではない。一方、日よけ装置としては特開平１１−２７８０５１号等があり、取り付けブラケットから伸びるアームの伸縮によりテントを展張、巻取り可能にした装置を開示しているが、これは建物躯体にブラケット後部の取り付け体により取り付けるもので、あおり板に取り付けるには不適当である。
【０００４】
【特許文献１】実開平７−２４６４６号
【特許文献２】特開平１１−３４７２８号
【考案の開示】
【考案が解決しようとする課題】
【０００５】
本考案は前記の点に着目してなされたもので、その課題は、車両における天幕の取り付け装置の占有する分を極小化することである。また、本考案の他の課題は、天幕の取り付け装置を有する車両を使いやすいものにすることである。
【課題を解決するための手段】
【０００６】
前記の課題を解決するため、本考案は、上部で車両のボディ側に取り付けられ、下部が外部上方へ展開するあおり板と、あおり板の下部から外方への延長方向へ展張される天幕とを備えた車両における天幕の取り付け装置について、
天幕の巻き軸を両端部で軸支する軸受け部を中央部に有し、軸受け部よりもあおり板の外方延長方向へ天幕を展張するための折り畳みアームを外方に有し、さらにあおり板に装着するためのブラケットを軸受け部よりもあおり板の内方に有しており、
ブラケットは、巻き軸に巻き取られた天幕の直径とほぼ同程度の幅を有するブラケット本体と、ブラケット本体の表側に位置して内方へ突出しあおり板への取り付け部となる基盤部と、ブラケット本体の裏側に位置して内方へ突出しあおり板を支える支持部とを有するものとするという手段を講じたものである（請求項１記載の考案）。
【０００７】
本考案における天幕の取り付け装置は、天幕をあおり板の下部から外方への延長方向へ展張するもので、展張すると、例えば展示車両の展示ウィンドーを開き、天幕自体はあおり板とともに日除け又は雨除けの一部になる。あおり板が上下２部材に分かれており、上部あおり板と下部あおり板を有する場合には、外部上方へ展開する上部あおり板の方が本考案の天幕取り付け装置を取り付ける対象になる。
【０００８】
本考案の天幕取り付け装置は、ブラケットによりあおり板に取り付けられている。このブラケットは、天幕の巻き軸を両端部にて軸支する軸受け部を中央に有し、軸受け部よりもあおり板の外方延長方向へ天幕を展張するための折り畳みアームを外方に有しており、軸受け部よりもあおり板の内方にてあおり板に装着される。なお、本考案では各部の位置関係を明確にしておく必要があるので付記しておくと、上下はあおり板の上下、内外はボディの内外、表裏はあおり板の表裏を基準としている。
【０００９】
このブラケットは、巻き軸に巻き取られた天幕の直径とほぼ同程度の幅を有するブラケット本体と、ブラケット本体の表側に位置して内方へ突出しあおり板への取り付け部となる基盤部と、ブラケット本体の裏側に位置して内方へ突出しあおり板を支える支持部とを有している。ブラケット本体、基盤部、支持部の３部分は別々の部材であっても良いし、一つの構造体の各部分を指し示すものであっても良い。また、軸受け部及び天幕の巻取り構成は、例えば前述した特開平１１−２７８０５１号などに開示されているテントないし天幕の巻取り装置とほぼ同じような構成と考えて良い。
【００１０】
上記基盤部と支持部は夫々の内方の端部にて結合しており、基盤部と支持部の外方の端部が結合している箇所から内方へ向かう鋭角のクサビ形を形成している構造は望ましい形態である（請求項２記載の考案）。また、本考案の装置の厚みは、巻き軸に巻き取られた天幕の直径とほぼ同程度の幅が最大であり、それよりも内方では厚さが徐々に減少しクサビ形になる。このため本考案の装置では、前述の従来例におけるボディ内外方向の寸法が約２００ｍｍに対して、約１１０ｍｍ又はそれ以下となり、ほぼ半減する。
【考案の効果】
【００１１】
本考案は以上のように構成されかつ作用するものであるから、車両における天幕の取り付け装置の占有する分は、巻き軸に巻き取られた天幕の直径を余り超えない程度となり、デッドスペースを極小化することである。また、本考案によれば、天幕の取り付け装置を有する車両のボディ幅に占めるあおり板の厚みは約１１０ｍｍ又はそれ以下となり、ほぼ半減し、壁の厚さ程度となるので室内の有効空間も増大し、展示用の車両として、より使いやすいものとなる。
【考案を実施するための最良の形態】
【００１２】
以下図示の実施形態を参照して、本考案に係る車両における天幕の取り付け装置について、より詳細に説明する。図１は本考案に係る天幕の取り付け装置２０を適用した住宅相談車などと呼ばれる展示用車両１０である。図中１１はボディ、１２は下部が外部上方へ展開する上部あおり板、１３は上部が外部下方へ展開する下部あおり板を示しており、上部あおり板１２はその上端部にて、下部あおり板１３はその下端部にて、夫々ボディ１１にヒンジ部１４、１５にて展開可能に軸支されている。
【００１３】
本考案の装置２０は、上部あおり板１２の下部から上部あおり板１２の外方延長方向へ展張可能に設けられた天幕１６を備えており、天幕１６はその巻き軸１６ａを両端部にて軸支する軸受け部１６ｂを中央部に有し、さらに軸受け部１６ｂよりも上部あおり板１２の内方にて当該あおり板１２に装着するために、左右一対のブラケット１７を具備している。図３には、巻き軸１６ａに巻き取られた状態の天幕１６も示されており、図３は実際に巻き取られた状態の天幕１６に近い直径及びプロポーションを有している。
【００１４】
各ブラケット１７は、上部あおり板１２の外方延長方向へ天幕１６を展張するために、基端をブラケット先端部に軸支し、他端を前枠１８ａに軸支した、左右一対の折り畳みアーム１８を有している。１９は回転フック軸であり、操作用の部材を用いて回転させることで、ギヤ機構を経て折り畳みアーム１８を駆動し、折り畳みアーム１８の屈伸により、前枠１８ａを平行に前進後退させ、天幕１６の展張と収縮の操作を行なうことができる。
【００１５】
上記のブラケット１７は、巻き軸１６ａに巻き取られた天幕１６の直径とほぼ同程度の幅を有するブラケット本体２１と、ブラケット本体２１の外側に位置して後方へ突出し、上部あおり板１２への取り付け部となる基盤部２２と、ブラケット本体２１の内側に位置して後方へ突出し、上部あおり板１２を支える支持部２３とを有している。２２ａは基盤部２２に開けられたブラケット取り付け用のボルト孔を示す。
【００１６】
基盤部２２と支持部２３は夫々の内方端部を結合箇所２４とする鋭角のクサビ形を形成しており、また基盤部２２と支持部２３の外方の端部はブラケット本体２１に結合している。よって、図４Ｂに詳細に図示されているように、ブラケット本体２１の幅は巻き取られた天幕１６の直径とほぼ等しく、ブラケット１７はこの部分の幅を最大として内方及び外方で幅が狭くなる。
【００１７】
従って、本考案に係る天幕の取り付け装置２０は、上部あおり板１２を閉じたときに図５に示すようにボディ内への突出量が半減し、あおり収納部２５のスペースＳが著しく小さくなる。回転フック軸１９はボディ内へ出るが部分的であり、邪魔になるというほどではない。図示の例では、上部あおり板１２は伸縮アーム２６によってボディ１１に支えられ、開閉可能に設けられている。
【００１８】
このように構成されている本考案の装置２０において、上部あおり板１２が閉じている状態では、あおり収納部２５のスペースＳが半減するため、ボディ内の設備や装備する備品の収納量を増やすことができ、より余裕を持たせることができる。或いは逆に、ボディの全幅を減少させることで、狭い市街地にも適するように展示車両をより小型化することが可能になる。
【図面の簡単な説明】
【００１９】
【図１】本考案に係る天幕の取り付け装置を搭載した展示用車両の例を示す側面図。
【図２】同上の背面図。
【図３】同上の装置を天幕の巻取り装置とともに示す斜視図。
【図４】同上の装置の要部を示すもので、Ａは主として基盤部を示す上面図、Ｂは側面図。
【図５】同上の装置を搭載したあおり板の開閉状態を示す説明図。
【符号の説明】
【００２０】
１０  車両
１１  ボディ
１２  上部あおり板
１３  下部あおり板
１４、１５  ヒンジ部
１６  天幕
１７  ブラケット
１８  折り畳みアーム
１９  回転フック軸
２０  天幕取り付け装置
２１  ブラケット本体
２２  基盤部
２３  支持部
２４  結合箇所
２５  あおり収納部
２６  伸縮アーム
【図１】
0003138405.tif 000003
【図２】
0003138405.tif 000004
【図３】
0003138405.tif 000005
【図４】
0003138405.tif 000006
【図５】
0003138405.tif 000007